(57)【要約】【課題】  画像表示において、より利便性の高い静止画扱いの技術を提供する。【解決手段】  動画を再生する再生手段と、この動画から静止画を取り出す取り出し手段と、この動画とこの静止画を表示する表示手段とを備えこの表示手段はこの静止画とこの動画のそれぞれの表示領域の大きさを外部からの指定に基づいて変更する画像表示装置。また、この動画から静止画を取り出す取り出し工程と、この動画とこの静止画を表示する表示工程とを含みこの表示工程はこの静止画とこの動画のそれぞれの表示領域の大きさを外部からの指定に基づいて変更する画像表示方法。【選択図】  図１
2013153345.tif 000002
【特許請求の範囲】
【請求項１】
動画を再生する再生手段と、
この動画から静止画を取り出す取り出し手段と、
この動画とこの静止画を表示する表示手段とを
備えこの表示手段はこの静止画とこの動画のそれぞれの表示領域の大きさを外部からの指定に基づいて変更する画像表示装置。
【請求項２】
前記静止画は複数の静止画である請求項１に記載の画像表示装置。
【請求項３】
更に前記静止画を保存する外部記憶装置を備え、この保存された静止画を表示する請求項１に記載の画像表示装置。
【請求項４】
更に前記静止画を保存するリングバッファを備え、この保存された静止画を表示する請求項１に記載の画像表示装置。
【請求項５】
動画を再生する再生工程と、
この動画から静止画を取り出す取り出し工程と、
この動画とこの静止画を表示する表示工程とを
含みこの表示工程はこの静止画とこの動画のそれぞれの表示領域の大きさを外部からの指定に基づいて変更する画像表示方法。
【発明の詳細な説明】
【技術分野】
【０００１】
本発明の実施形態は、画像表示装置及び画像表示方法に関する。
【背景技術】
【０００２】
画像表示装置において、動画から取り出した静止画を拡大や表示領域を変更することでユーザが保存したい領域をとりだすための機能を持つ工夫がある（例えば、特許文献１参照。）。
【０００３】
しかしながら例えば、この文献では表示されている動画と静止画は同じ面積に固定されてしまっている。取り出す静止画の範囲もユーザの指示があってから、に限定されているため、さかのぼって静止画を表示することは不可能である。また、保存を目的とした機能のため、画像記録装置の機能が必要となる。
【０００４】
即ち画像表示において、より利便性の高い静止画扱いの技術への要望がある。が、かかる要望を実現するための手段は知られていない。
【先行技術文献】
【特許文献】
【０００５】
【特許文献１】特開２００７−１０４３９４号公報
【発明の概要】
【発明が解決しようとする課題】
【０００６】
本発明の実施の形態は、画像表示において、より利便性の高い静止画扱いの技術を提供することを目的とする。
【課題を解決するための手段】
【０００７】
上記課題を解決するために、実施形態によれば画像表示装置は、動画を再生する再生手段と、この動画から静止画を取り出す取り出し手段と、この動画とこの静止画を表示する表示手段とを備えこの表示手段はこの静止画とこの動画のそれぞれの表示領域の大きさを外部からの指定に基づいて変更する。
【図面の簡単な説明】
【０００８】
【図１】この発明の一実施形態である放送受信装置を示す機能ブロック構成図。
【図２】同実施形態の画像メモの画面遷移図。
【図３】同実施形態の画像メモ機能のフロー図。
【図４】同実施形態の静止画巻き戻し機能の画面遷移図。
【図５】一実施形態におけるリモートコントローラの一例を示す外観図。
【図６】一実施形態におけるＤＴＶ及びリモートコントローラの内部構成の一例を示すブロック図。
【発明を実施するための形態】
【０００９】
以下、実施形態を図１乃至図６を参照して説明する。
【００１０】
まず本実施形態における画像表示システムの一例として、次に詳述するＤＴＶ１、リモートコントローラ２０から成る、画像表示システムがある。
【００１１】
ＤＴＶ１は本実施形態における電子機器の一例としてのデジタルテレビジョン（Digital Television）であり、受信した放送波の放送信号から映像・音声情報を抽出し、これらを出力する機能を有している。またＤＴＶ１は、例えばインターネットのような大規模ネットワーク網（WAN:：Wide Area Network）と接続されており、この大規模ネットワークに接続されている他の機器と通信可能となっている。実施形態における電子機器の一例としてここではＤＴＶ１を示すが、これに限定されるものではない。電子機器の他の例示としては、ＰＣ（Personal Computer）他のような様々な機器が考えられる。
【００１２】
リモートコントローラ２０は複数の操作スイッチ（キー）を有しており、この操作スイッチが押下されると、これに応じてＤＴＶ１の操作を行うための信号を送信する機能を有している。信号の形式は、例えば、ＲＦ(Radio Frequency)信号やＩＲ（Infrared）信号を用いるのが一般的であるが、本実施形態では有線、無線の区別を問わない。
【００１３】
画像表示システムはＤＴＶ１とリモートコントローラ２０より構成されており、ユーザはリモートコントローラ２０を用いてＤＴＶ１を操作して所定の処理を行わせ、画像を表示させることができる。
【００１４】
まず先にリモートコントローラ２０の詳細な構造を説明する。図５は本実施形態におけるリモートコントローラ２０の一例を示す外観図である。
【００１５】
リモートコントローラ２０はＤＴＶ１の各種機能を操作するための複数のキー（スイッチ）を有している。本実施形態において、この複数のキーはキー２１、タッチパッド２２、十字キー２３およびサイドキー２１ａによって構成されている。
【００１６】
キー２１はＤＴＶ１の各種機能を実行するために設けられたキーであって、リモートコントローラ２はそれぞれのキーへのユーザの押下操作に応じて異なる操作信号を発信する。キー２１にはＤＴＶ１の電源投入と遮断とを切り替える電源キーと、表示する映像情報のソースを切り替える入力切替キー、ゲーム、地デジ、ＢＳ又はＣＳを選択するキーを備えた入力切替キー群と、チャンネルの選択や文字の入力等を行うチャンネル文字キー群、チャンネルの切り替えを行うチャンネル切替キーと、画面の表示形式を選択する画面表示キー、音量を調整する音量調整キー、各種ＤＴＶ１の機能を実現させるための色が割り当てられたカラーキー等の様々なキーが含まれている。また、ＤＴＶ１に表示されたカーソルの所定の位置での選択操作を行うための決定キーもこれに含まれる。本実施形態の説明においては便宜上これらのキーをサイドキー２１ａを含め一纏めのキー２１として説明し、タッチパッド２２及び十字キー２３をこのキー２１とは分けて説明する。
【００１７】
タッチパッド２２は、例えばユーザの指等によるタッチパッド２２表面への接触を静電容量の変化で検知し、この検知点を示す検知信号を出力する機能を有している。このタッチパッド２２の表面を指でなぞることによって、ユーザはＤＴＶ１に表示されたカーソルの操作を行うことが可能である。
【００１８】
十字キー２３は、リモートコントローラ２０内部の、タッチパッド２２の裏面に対向に位置に設けられており、ユーザに押下されたタッチパッド２２の裏面が接触することで、この押圧を検知して検知信号を出力する。十字キー２３は図５中のポイントＡのリモートコントローラ２内部に当たる位置に上下左右が割り当てられて４つ設けられている。この4つのスイッチから構成される十字キー２３は、それぞれの上下左右の方向を示す信号を出力する。
【００１９】
本実施形態において、リモートコントローラ２０はタッチパッド２２と十字キー２３とが一体として設けられている（タッチパッド２２が十字キー２３と兼用されている）。十字キー２３が押下される際にはユーザの指はタッチパッド２２に接触しており、このときにはタッチパッド２２と十字キー２３はそれぞれ検知信号を出力することとなる。
【００２０】
本実施形態におけるリモートコントローラ２０ではタッチパッド２２と十字キー２３とが外部から見て同じ位置に設けられているように例示したがこれに限定されず、異なった位置に独立してそれぞれが設けられていてもよい。
【００２１】
次に図６は本実施形態における電子機器であるＤＴＶ１及びリモートコントローラ２０の内部構成の一例を示すブロック図である。先ずＤＴＶ１に関する説明を行う。
【００２２】
ＤＴＶ１は、装置各部の動作を制御する制御部１５６を備えている。制御部１５６は、ＣＰＵ（Central Processing Unit）等を内蔵している。制御部１５６は、操作部１１６から入力される操作信号や、リモートコントローラ２０から送信され受信部１１８を介して受信される操作信号に応じて、ＲＯＭ（Read Only Memory）１５７に予め記憶されたシステム制御プログラム及び各種処理プログラムを起動させる。制御部１５６は、起動したプログラムに従って、ＲＡＭ（Random Access Memory）１５８をワークメモリとして装置各部の動作を制御する。
【００２３】
入力端子１４４は、ＢＳ／ＣＳデジタル放送受信用のアンテナ１４３が受信した衛星デジタルテレビジョン放送信号を衛星デジタル放送用のチューナ１４５に供給する。チューナ１４５は、受信したデジタル放送信号のチューニングを行い、チューニングしたデジタル放送信号をＰＳＫ（Phase Shift Keying）復調器１４６に送信する。PSK復調器１４６は、ＴＳ（Transport Stream）の復調を行い、復調したＴＳをＴＳ復号器１４７ａに供給し、ＴＳ復号器１４７ａは、TSをデジタル映像信信号、デジタル音声信号、およびデータ信号を含むデジタル信号に復号した後、信号処理部１００にこれを出力する。ここでのデジタル映像信号とはＤＴＶ１が出力可能な映像に関するデジタル信号であり、音声信号はＤＴＶ１が出力可能な音声に関するデジタル信号である。またデータ信号とは、例えばＤＴＶ１が電子番組表であるＥＰＧ（Electronic Program Guide）を生成するときに使用する情報である番組関連情報等を含む、放送波の放送番組に関する情報に関するデジタル信号である。
【００２４】
入力端子１４９は、地上波デジタル放送受信用のアンテナ１４８が受信した地上波デジタルテレビジョン放送信号を地上波デジタル放送用のチューナ１５０に供給する。チューナ１５０は、受信したデジタル放送信号のチューニングを行い、チューニングしたデジタル放送信号をそれぞれのＯＦＤＭ（Orthogonal Frequency Division Multiplexing）復調器１５１に送信する。ＯＦＤＭ復調器１５１は、ＴＳの復調を行い、復調したＴＳをそれぞれのＴＳ復号器１４７ｂに供給し、ＴＳ復号器１４７ｂは、ＴＳをデジタル映像信号及び音声信号等に復号した後、信号処理部１００にこれを出力する。チューナ１５０の１１個それぞれのチューナで取得した地上波デジタルテレビジョン放送は、これらの複数個のＯＦＤＭ復調器１５１、ＴＳ復号器１４７ｂによってそれぞれ同時にデジタル映像信号、音デジタル音声信号、及びデータ信号を含むデジタル信号として復号された後に、信号処理部１００に出力されることが可能である。
【００２５】
アンテナ１４８は、地上波アナログ放送信号も受信可能である。受信された地上波アナログ放送信号は、図示しない分配器によって分配されて、アナログチューナ１６８に供給される。アナログチューナ１６８は、受信したアナログ放送信号のチューニングを行い、チューニングしたアナログ放送信号をアナログ復調器１６９に送信する。アナログ復調器１６９はアナログ放送信号の復調を行い、復調したアナログ放送信号を信号処理部１００に出力する。また、ＤＴＶ１は、一例として、アンテナ１４８が接続される入力端子１４９にＣＡＴＶ（Common Antenna Television）用のチューナを接続することによってＣＡＴＶも視聴することができる。
【００２６】
信号処理部１００は、ＴＳ復号器１４７ａ、１４７ｂ、または制御部１５６から出力されたデジタル信号に、適切な信号処理を施す。より具体的には、信号処理部１００はデジタル信号を映像信号、デジタル音声信号、およびデータ信号に分離する。分離された映像信号はグラフィック処理部１５２に、音声信号は音声処理部１５３に出力される。また信号処理部１００は、アナログ復調器１６９から出力された放送信号を、所定のデジタルフォーマットの映像信号及び音声信号に変換する。デジタルに変換された映像信号はグラフィック処理部１５２に、音声信号は音声処理部１５３に出力される。また信号処理部１００は、ライン入力端子１３７からの入力信号にも所定のデジタル信号処理を施す。
【００２７】
ＯＳＤ（On Screen Display）信号生成部１５４は、制御部１５６の制御に従って、ＵＩ（ユーザ・インタフェース）画面などを表示するためのＯＳＤ信号を生成する。また信号処理部１００においてデジタル放送信号から分離されたデータ信号は、ＯＳＤ信号生成部１５４により適切なフォーマットのＯＳＤ信号に変換され、グラフィック処理部１５２
に出力される。
【００２８】
グラフィック処理部１５２は、信号処理部１００から出力されるデジタルの映像信号のデコード処理を行う。デコードされた映像信号は、ＯＳＤ信号生成部１５４から出力されたＯＳＤ信号と重ね合わせて合成され、映像処理部１５５に出力される。グラフィック処理部１５２は、デコードされた映像信号またはＯＳＤ信号を、映像処理部１５５に選択的に出力することもできる。
【００２９】
映像処理部１５５は、グラフィック処理部１５２から出力された信号を、表示部１２０で表示可能なフォーマットのアナログ映像信号に変換する。アナログに変換された映像信号は、表示部１２０に表示される。
【００３０】
音声処理部１５３は、入力された音声信号を、スピーカ１１０で再生可能なフォーマットのアナログ音声信号に変換する。アナログに変換された音声信号は、スピーカ１１０に出力されて再生される。
【００３１】
カードホルダ１６１は、カードＩ／Ｆ（Interface）１６０を介して制御部１５６に接続されている。メモリカード１１９は、このカードＩ／Ｆ１６０に装着可能である。メモリカード１１９は、例えばＳＤ（Secure Digital）メモリカード、ＭＭＣ（Multimedia Card）及びＣＦ（COMPACTFLASH（登録商標））カード等の記憶媒体である。カードホルダ１６１に装着されたメモリカード１１９、及び制御部１５６は、カードＩ／Ｆ１６０を介して情報の書込み／読み出しを行うことができる。
【００３２】
ＬＡＮ端子１３１は、ＬＡＮＩ／Ｆ１６４を介して制御部１５６に接続されている。ＬＡＮ端子１３１は、イーサネット（登録商標）を用いた一般的なＬＡＮ対応ポートとして使用される。本実施形態においてＬＡＮ端子１３１にはＬＡＮケーブル（図示しない）が接続されており、インターネットと通信可能となっている。
【００３３】
ＵＳＢ（Universal Serial Bus）端子１３３は、ＵＳＢ Ｉ／Ｆ１６６を介して制御部１５６に接続されている。ＵＳＢ端子１３３は、一般的なＵＳＢ対応ポートとして使用される。ＵＳＢ端子１３３には、例えばハブを介して、携帯電話、デジタルカメラ、各種メモリカードに対するカードリーダ／ライタ、ＨＤＤ、キーボード等が接続される。制御部
１５６は、ＵＳＢ端子１３３を介して接続される機器との間で、情報の通信（送受信）を行うことができる。
【００３４】
ＨＤＤ１７０はＤＴＶ１に内蔵される磁気記憶媒体（Hard Disk Drive）であってＤＴＶ１が有する各種情報を記憶する機能を有している。
【００３５】
次にリモートコントローラ２０に関する説明を行う。
【００３６】
キー２１、タッチパッド２２、及び十字キー２３より出力される検知信号は、リモコン制御部２４に入力される。リモコン制御部２４は入力された信号に基づいて、ＤＴＶ１を操作するための操作信号を生成し、送信部２５によって外部に送信させる。この送信された操作信号を受信部１１８が受信するとＤＴＶ１はこの操作信号に応じた所定の処理を実行する。
【００３７】
本実施形態においては、キー２１の押下によってリモートコントローラ２０から送信される信号をキー操作信号、タッチパッド２２をなぞることによって送信される信号をタッチパッド操作信号、十字キー２３を押下することによって送信される信号を十字キー操作信号と呼ぶこととする。
【００３８】
さて本実施形態は、短時間の情報を簡単な操作で一時保存しておくことを可能とする放送受信装置である。
【００３９】
図１は、実施形態である放送受信装置１０９を示す機能ブロック構成図である。
【００４０】
放送受信装置１０９は、ＤＴＶ１のうち本実施形態に関係の深い機能を中心に示されている。放送波を受信し、音声、映像などを抽出する部分であるアンテナ１０１とチューナ１０２と映像信号処理１０３、映像出力部１０４、ユーザの入力を受け付ける部分であるリモコン１０８とリモコン受信部１０５、静止画を保持するためのメインメモリ１０７、放送受信装置１０９全体を制御する部分である制御部１０６、を有する放送受信装置１０９におけるシステムである。
【００４１】
アンテナ１０１はアンテナ１４３またはアンテナ１４８に、対応してチューナ１０２はチューナ１４５またはチューナ１５０などに、映像信号処理１０３は例えばPSK復調器１４６とＴＳ復号器１４７ａと信号処理部１００とに、映像出力部１０４はグラフィック処理部１５２と映像処理部１５５と表示部１２０等とに相当する。また、リモコン１０８はリモートコントローラ２０と、リモコン受信部１０５は受信部１１８と、メインメモリ１０７はＲＡＭ１５８と、制御部１０６は制御部１５６とにそれぞれ相当する。
【００４２】
画像メモモードについての説明にあたり、図2に画面の遷移を、図3に制御部１０６を中心とする処理のフローを示す。ユーザによって出される画像メモの指示は、専用のサイドキー２１ａに依る形態としてもよいし、また各キーの操作の組み合わせにより実現する構成としてもよい。
【００４３】
ユーザによって画像メモの指示が出されると(ステップ301)、指示が出された際に表示している動画から静止画を取り出し、メインメモリ１０７の静止画保持領域に保存する(ステップ302)。また、2画面表示に画面を切り替え(ステップ303)、2画面の片方に取得した静止画(ステップ304)、もう片方に動画を表示する(ステップ305)。このようにすることで、表示したままにしておきたい場面の静止画と、動画とをリアルタイムに両方視聴できるようになる。すでに動画メモモードとして静止画が表示されている状態で再度画像メモの指示が出された場合(ステップ306)は、静止画保存領域に空きがあることを確認後(ステップ307)、同様に静止画を取得し(ステップ309)静止画2枚と動画を再度合成して(ステップ310)、多画面の状態で表示する。それぞれの画面はリモコン操作によって表示する大きさを変更することができる(ステップ310a)。例えばリモートコントローラ２０の十字キー２３で、上向きの部分を押すとこの大きさを拡大、また下向きの部分を押すとこの大きさを縮小するといった構成を採ることができる。またこの十字キー２３で、左向きの部分を押す、または右向きの部分を押すことにより上記それぞれの画面を選択するといった構成を採ることができる。
【００４４】
なお、ステップ307にて静止画保存領域に空きがないと確認された場合には、この旨をユーザに提示して(ステップ308)次のステップ311へ行く。
【００４５】
ユーザからの動画メモ機能の解除の指示があれば(ステップ311)、1画面表示に切り替え、動画のみの表示に戻し画像メモモードを終了する(ステップ312)。
【００４６】
次に、リングバッファを利用した静止画巻き戻し機能についての画面遷移を図4に示す。この機能が有効である場合、放送受信装置１０９は動画を表示している間は、制御部１０６を中心とする処理として100ms間隔で静止画を生成し、ＲＡＭ１５８内のリングバッファＲに蓄積していく。ユーザからのリモコン１０８などを用いた（以下、同様）静止画巻き戻しの指示をうけて、このリングバッファ上のデータをＲＡＭ１５８内の静止画保持領域Ｓに一時退避し、蓄積されていた静止画からユーザが表示する静止画を選択するための静止画選択画面に移行する。静止画の選択画面では、画面の状態を2画面に移行し、片方で動画を表示しながら、もう一方の画面に表示する静止画をユーザの操作に応じて変更することで実現する。ユーザが表示する静止画を選択すると、静止画の選択画面を終了するため、静止画選択画面として利用していた画面を選択された静止画の表示に固定し(ステップF)、変更できないようにする。さらに、静止画保持領域に退避したデータのうち、表示するデータ以外を削除し静止画保持領域の空き容量を確保することで、巻き戻した静止画を表示している状態でも動画メモ機能を用いることを可能とする。
【００４７】
本実施形態では、取得した静止画の保存をしていないが、HDDなど保存領域を確保できるような場合にはユーザの指示に従って取得した各データをHDDへ保存し、いつでも参照できるようにするということや、またHDDに保存された過去の静止画を表示しながら現在の映像を表示したり、新しく取得したメモ情報を同時に表示するということも構成することができる。
【００４８】
静止画と動画の表示も、2画面に分割する以外にも動画上に静止画を重ねるなどの方法も構成することができる。
【００４９】
メインメモリ上の容量を削減するために、静止画保持領域やリングバッファに保存する静止画のサイズや解像度を変更するなどの工夫もできる。また、本説明では100ms間隔で静止画を生成しているが、間隔を長くすることで容量を削減しリングバッファ上に蓄えられる時間を長くしたり、一定ではなく動画を解析して最適なタイミングで静止画を生成するなどの工夫もできる。
【００５０】
リングバッファに蓄えられた画像から静止画を選択する際も、表示する1枚の静止画を変更していくことで候補を示す以外にも、サムネイルを生成し複数枚を表示し、その中から選択する方法も構成することができる。
【００５１】
また、本説明で扱う動画は放送波や録画データ、更には配信映像やセルのディスクに収められた映像など様々なものがありうる。
【００５２】
本実施形態によって、一時的に表示したままにしておきたい静止画を表示しながら、同じ番組を見続けることが可能となり、例えばレシピを表示しながら調理の工程を見る、天気と気温の情報を同時に表示させるなどの使い方が可能となる。静止画の表示画面と、動画の表示画面の大きさを変更することが可能なため、動画の視聴を妨げることなく静止画を表示することができる。
【００５３】
また、指示があった際に画面に表示している映像を静止画としてメインメモリに保持することで実現可能なため、録画機能やHDDなどの記録領域が不要であり、コストを抑えることができる。
【００５４】
本実施形態では、リングバッファを用いた静止画の巻き戻し機能によって、少し前の静止画の表示も可能である。ユーザが静止画を取得したい瞬間にリモコンを手にしているとは限らず、見逃してしまう可能性が考えられるが、この機能を用いることで、よりユーザが表示したい静止画をさかのぼって選択することが可能である。リングバッファへの保存を動画ではなくある程度の間隔をあけて生成した静止画とすることにより、少ないリングバッファの容量でより長い時間の画像を保存可能としている。本実施形態では、保存したデータを動画として再生するわけではないため、なめらかな動きを再現できるほどの静止画は必要がなく、静止画を保存する間隔を工夫することはより長い時間のデータを保存するための手段として効果的である。
【００５５】
（実施形態の補足）
以上説明した画像表示装置の実施例によれば、以下のようなメモ機能付き放送受信装置を構成することができる。
【００５６】
（1）.受信部が受信したデジタル放送信号を表示する映像出力部を持ち、映像を一時保存するためのメインメモリを有し、ユーザが指示した瞬間の映像を静止画としてとりだす機能を有する放送受信装置
（2）.（1）の静止画とデジタル放送から取り出した動画を合成する多画面表示機能を有することで、指定した瞬間の静止画を表示しながら継続して放送を視聴することを可能とする放送受信装置
（3）.（2）で表示する静止画と動画の表示領域の大きさを自由に変更することを可能とする放送受信装置
（4）.すでに静止画が表示されている状態においてもユーザの指示に応じて新たに静止画をとりだすことが可能で、複数枚の静止画と動画を合成して表示することが可能な放送受信装置
（5）.1で取得した静止画を外部記憶装置に保存する機能を有し、外部記憶装置に保存されている静止画も動画と同時に表示することが可能な放送受信装置
（6）.メインメモリ上のリングバッファに動画から取り出した静止画を蓄えていく機能を有し、リングバッファの容量分さかのぼった過去の静止画を2の状態と同様に表示することが可能な放送受信装置
加えて、本発明では保存することが目的ではないため、保存するための領域を必ずしも必要としない。そのため、より低コストで機能を実現することが可能である。
【００５７】
以上、先行技術と比べ本実施形態は動画から取り出した静止画と動画を同時に表示することで、静止画を一時的な画像メモとするための機能により、表示する領域の大きさは自由に変更することができる。さらに、動画と同時に表示する静止画の数を増やすことも可能である。また本実施形態では、リングバッファを利用して常に静止画を記録し続けることで、数秒間さかのぼって静止画を選択可能である。これにより放送波の視聴時など、録画されていない動画に対してもユーザがより表示したい瞬間の静止画を選択できる。
【００５８】
なお、この発明は上記実施形態に限定されるものではなく、この外その要旨を逸脱しない範囲で種々変形して実施することができる。
【００５９】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係わる構成要素を適宜組み合わせても良いものである。
【符号の説明】
【００６０】
１…ＤＴＶ、２０…リモートコントローラ、２１…キー、２２…タッチパッド、２３…十字キー、２４…リモコン制御部、２５…発信部、１１０…スピーカ、１２０…表示部、１００…信号処理部、１１６…操作部、１１８…受信部、１１９…メモリカード、１３１…ＬＡＮ端子、１３３…ＵＳＢ端子、１３７…ライン入力端子、１４３…アンテナ、１４４…入力端子、１４５…チューナ、１４６…ＰＳＫ復調器、１４７…ＴＳ復号器、１４８…アンテナ、１４９…入力端子、１５０…チューナ、１５１…ＯＦＤＭ復調器、１５２…グラフィック処理部、１５３…音声処理部、１５４…ＯＳＤ信号生成部、１５５…映像処理部、１５６…制御部、１５７…ＲＯＭ、１５８…ＲＡＭ、１６０…カードＩ／Ｆ、１６１…カードホルダ、１６４…ＬＡＮ  Ｉ／Ｆ、１６６…ＵＳＢ  Ｉ／Ｆ、１６８…アナログチューナ、１６９…アナログ復調器、１７０…ＨＤＤ。
【図１】
2013153345.tif 000003
【図２】
2013153345.tif 000004
【図３】
2013153345.tif 000005
【図４】
2013153345.tif 000006
【図５】
2013153345.tif 000007
【図６】
2013153345.tif 000008